(57)【特許請求の範囲】
【請求項１】
商用の電波による通話ならびに画像送受信機能を備えた発信側の携帯電話が充電可能にセットされる充電用保持具またはこの充電用保持具に接続される容器に設けられ、警戒モードへのセット状態において異常事態の発生を検知するための赤外線検知手段と、
前記携帯電話または前記充電用保持具またはこの充電用保持具に接続される前記容器に設けられ、前記赤外線検知手段からの所定の出力信号に基づいて予め設定された受信側の携帯電話を自動的に呼び出すための自動ダイヤル命令発信部と、
通信相手からの撮像情報を画像表示するための画像表示手段とを含む通信装置を、この発信側の携帯電話が備える一方、
前記受信側の携帯電話も、上記構成の通信装置を備えており、かつ、前記発信側の携帯電話と受信側の携帯電話とにおいて、画像と音声によって遠隔的に相互に交信できるように構成されており、
さらに、前記赤外線検知手段は人体感知用の赤外線センサを含み、この赤外線センサにより人体を検知しても前記受信側の携帯電話を呼び出さない不感時間が設定されていることを特徴とする通信システム。
【請求項２】
赤外線検知手段は、防犯、防災のため、人体から放射される１０μｍ付近の赤外線を感知する焦電型またはサーモパイルの赤外線センサと、炎から放射される４．３μｍ付近の赤外線を感知する焦電型またはサーモパイルの赤外線センサを備えている請求項１に記載の通信システム。
【請求項３】
赤外線検知手段の各赤外線センサは、保持具に対して通信線または無線によって接続される容器に設けられている請求項１または２に記載の通信システム。
【請求項４】
携帯電話または保持具または保持具に接続される容器に赤外線検知手段の赤外線センサによる赤外線の検出エネルギー量が変化した時点での画像情報を別途保存する画像バッファを設けてある請求項１〜３の何れかに記載の通信システム。
【発明の詳細な説明】
【０００１】
【発明の属する技術分野】
本発明は、携帯電話を用いた通信システムに関するものである。
【０００２】
【従来の技術】
【０００３】
例えば防犯や防災の分野での通信装置として、建造物や倉庫内などの財産を侵入者や火災から守るために、警備会社とセキュリティ契約を結んで、煙センサや感熱センサ、赤外線センサなどの監視センサを建物の所定の場所に設置すると共に、これらのセンサと警備会社の監視センターとを屋内配線でオンライン接続するものがある。
【０００４】
ところが、この通信装置では、セキュリティの契約料が非常に高価であることから、一般家庭での十分な普及に至っていないのが現状であり、加えて、監視センターで異常が検知された際には、異常確認のために警備員が現場に急行するのであるが、異常が火災の場合には、警備員が現場に至る途上にも火災が進行する点で問題があった。
【０００５】
また、警備員が現場に急行するまでの間に侵入者が首尾よく犯行を終えて、警備員が現場に到達した際には、犯人が既に現場を立ち去った後であったりすることもあり、これに対処して、より警備体制を充実させるためには、防犯・防災カメラを設置することであるが、これではセキュリティ契約料が一層高く付くことから、一般家庭での普及にとって更なる問題となる。
【０００６】
更に、一般家庭でセキュリティ契約を結んだとしても、上記のシステムでは、異常の検知が監視センターで行われるだけであって、契約者が留守中の異常を出先で即時に知ることはできないのであった。
【０００７】
一方、福祉や医療の分野では、老人の徘徊や異常行動、病床人の容態急変、乳幼児の起床など、介護人なしでは危険や不安を伴い勝ちで、目を離せないことから、一般には介護人などが常駐されるが、このための介護の負担は大きく、かつ、家族の日常生活や外出の制約を受けるもので、防犯・防災面や福祉・医療面での安価なセキュリティの実現が望まれている。
【０００８】
そのための通信装置の一つとして、各種センサからの出力を監視する手段と、この監視手段からの監視情報を送信する手段と、この送信手段からの監視情報を受信する携帯端末（ＰＨＳ）とを備えて、異常発生の情報をＰＨＳに送信できるようにしたものが提案されている（例えば特開平９−５４８８６号公報）。
【０００９】
【発明が解決しようとする課題】
しかしながら、上記の設備では、各種センサと出力監視手段および監視情報の送信手段をライン接続する構成上、センサの配置工事を要するだけでなく、センサの設置場所の変更も困難であり、加えて、情報送信手段としての基地局あるいは親機に対する電話局との接続が有線である上に、端末ＰＨＳと基地局あるいは親機との間に中継局や中継アンテナがないので、通信距離が限定される点で問題があった。
【００１０】
本発明は、かゝる実情に鑑みて成されたものであって、その目的は、広く普及した携帯電話（携帯型の移動無線通信に用いられる電話機であって、所謂ＰＨＳを含むものである。）を利用して、警備会社や介護人などに頼ることなく、個人や少人数単位で、侵入者や火災から財産を遠隔監視したり、遠隔で正確かつリアルタイムで安価に、人の安全確認を行えるようにした通信システムを提供する点にある。
【００１１】
【課題を解決するための手段】
上記の目的を達成するための本発明による通信システムは、商用の電波による通話ならびに画像送受信機能を備えた発信側の携帯電話が充電可能にセットされる充電用保持具またはこの充電用保持具に接続される容器に設けられ、警戒モードへのセット状態において異常事態の発生を検知するための赤外線検知手段と、
前記携帯電話または前記充電用保持具またはこの充電用保持具に接続される前記容器に設けられ、前記赤外線検知手段からの所定の出力信号に基づいて予め設定された受信側の携帯電話を自動的に呼び出すための自動ダイヤル命令発信部と、
通信相手からの撮像情報を画像表示するための画像表示手段とを含む通信装置を、この発信側の携帯電話が備える一方、
前記受信側の携帯電話も、上記構成の通信装置を備えており、かつ、前記発信側の携帯電話と受信側の携帯電話とにおいて、画像と音声によって遠隔的に相互に交信できるように構成されており、
さらに、前記赤外線検知手段は人体感知用の赤外線センサを含み、この赤外線センサにより人体を検知しても前記受信側の携帯電話を呼び出さない不感時間が設定されている点に特徴がある。
【００１２】
前記画像送受信機能を携帯電話とは、携帯電話に前記画像の撮像手段が内蔵されているものや、携帯電話の保持具または保持具に接続される容器に前記撮像手段が内蔵されているもの、および、携帯電話や保持具から離れた位置に、前記携帯電話と有線または無線の通信手段によって接続される撮像手段を配置するものなどが考えられる。
【００１３】
而して、例えば防犯や防災に際しては、上記構成の通信装置を、建造物や倉庫内などの所定の場所に、好ましくは出来るだけ多くを分散させて配置する一方、この通信装置が備える携帯電話（便宜上、発信側の携帯電話と言う。）とは別の画像表示機能を備える電話（便宜上、受信側の電話と言う。）を用意して、この受信側の電話を自動ダイヤル命令発信部によって呼び出すように設定しておくのである。受信側の電話は、発信側のものと同じ携帯型である。
【００１４】
この設定により、不審な人物が倉庫などに侵入した場合は、侵入者が通信装置の付近を移動した際に、この侵入者が放射する赤外線が赤外線検知手段によってキャッチされ、或いは火災発生の際は、炎が放射する赤外線が赤外線検知手段によってキャッチされて、赤外線検知手段から所定の出力信号が発せられることで、自動ダイヤル命令発信部が予め特定した受信側の電話を自動的に呼び出すことになる。
【００１５】
この呼び出しに基づいて、受信側の電話が発信側からの撮像情報（静止画および動画を含む画像情報であって、本発明ではこれを単に画像と呼ぶ）を画像表示する機能を有するので、この電話を通信状態に切り換えることで、不審人物の侵入であれば、その侵入者の画像と音声とが伝達され、火災であれば、炎の画像と共にパチパチと弾けるような火災の音が伝達されるのであって、更に受信者側の電話が携帯型であるので、受信者が何処に居ようと、かゝる事態を確実に且つリアルタイムに認識することができるのである。また、監視対象となる人物から放射する赤外線が赤外線検知手段によって検知されることにより、赤外線検知手段からの所定の出力信号に基づいて画像を通信しているので、監視対象となる人物を確実に撮像した画像を送信することができる。
【００１６】
従って、かゝる事態を認識したならば、受信側の電話を用いて、警察や消防、その他、近隣の知人など、然るべき相手先を選定して救援を求めることができ、受信側の電話が携帯型であるので、何処に居ようと遠隔的に且つ早期に、防犯や防災の態勢をとることができるのである。
【００１７】
また、上記構成の発信側の通信装置を、例えば玄関や勝手口などの出入口に配置しておけば、ここを人物が通過したことが赤外線検知手段によってキャッチされ、或いは上記構成の通信装置を、例えば病床人のまわりや乳幼児の寝床まわりに配置しておけば、人体（病床人や乳幼児）の動きが赤外線検知手段によってキャッチされて、これに基づいて受信側の電話が自動的に呼び出されることで、来客の検知や、例えば老人の徘徊や異常行動、その他、病床人の容態急変や乳幼児の起床などを、遠隔的に検知することができるのである。
【００１８】
この他、上記構成の通信装置を、オートバイ回りや自動車の車内などに配置しておけば、いわゆる車上狙いや盗難の検知や通報を、受信側の電話によって実施できるのであり、この際、受信側の電話に別途、画像記録装置を接続して、発信側の通信装置からの撮像情報を記録することが好適である。
【００１９】
即ち、画像記録装置に人物が記録されていると、火災が放火であることが判明したり、盗難に遇ったりした際には、その記録画像を犯人特定の手掛かりにしたり、放火や窃盗の証拠にしたりすることができるのであり、この際の携帯電話の保持具への電源供給は、例えばシガライター部や車中のバッテリーからとればよい。
【００２０】
更に、農業の分野において、例えばビニールハウス内の所定の場所に上記構成の通信装置を配置しておけば、野生動物によるビニールハウス荒らしを検知することもできるのである。
【００２１】
要約すれば、本発明では、受信側の電話も画像表示手段を備えているから、発信側の携帯電話の呼び出し情報源が、不審な人物の侵入であるか火災の発生であるかを遠隔で視覚的に確認することができ、その他、来客や老人の徘徊、病床人の容態急変、乳幼児の起床、車上狙いや窃盗の犯人、野生動物の何れであるかも遠隔で視覚的に確認することができるのである。加えて、受信側の電話が画像表示機能を備えているから、別途の画像表示機器を接続する必要がなく、早急な対応に寄与することができる。
【００２２】
従って、本発明によれば、防犯や防災、医療などの措置を誤りなく実施でき、或いは、赤外線センサの誤作動やペットなどの小動物による誤報であっても、画像で現場を確認できることから、誤報による現地への急行などの徒労も回避されるのである。
【００２３】
そして、前記画像が赤外線画像である場合には、撮像のために目立つ光源を設ける必要がなく、防犯装置としての通信装置の設置場所を目立たなくすることが可能である。また、人が放射する遠赤外線による赤外線画像を撮像する場合には光源を無くすことも可能であり、それだけより確実な防犯を行うことができる。一方、近赤外線の光源を設けて画像を撮像する場合は、人物像を暗い環境下においても、可視画像に近い画像を撮像できるので、人物を判別しやすくなる。
【００２４】
そして、本発明によれば、送信側と受信側の双方が、通信相手からの撮像情報を画像表示するための画像表示手段を含む通信装置を備えており、そのため、画像と音声とによって遠隔的に、異常事態の発生現場と相互に交信できるのであって、かゝる構成の通信装置を、発信側と受信側とで適宜複数を用意することで、部屋数や家屋数などに応じて例えば警戒範囲を拡大でき、或いは、家族や親戚、友人、知人、近隣同士などのネットワークで、防犯・防災などの互いの協力や警戒体制の一層の強化を期することが可能となる。
【００２５】
更に、赤外線検知手段が備える赤外線センサとして、人体から放射される１０μｍ付近の赤外線を感知するセンサと、炎から放射される４．３μｍ付近の赤外線を感知するセンサの少なくとも一方を備えれば、特定の電話の自動呼び出しの指令が、人体検知センサによるのか、火災検知センサによるのか、或いはこれら両方によるのかを、正確に判断することができるのである。
【００２６】
【発明の実施の形態】
以下、本発明の実施の形態を図面に基づいて説明する。図１は本発明にかゝる一実施形態の発信側の携帯電話３の通信装置を示し、この通信装置は、ＡＣアダプタ（安定化電源）１に接続される充電用保持具２に、充電形態をとるように携帯電話３をセットして成る。
【００２７】
携帯電話３は、撮像手段４と画像表示手段５とを備えて、商用の電波（この商用の電波とは、国内ならば、ＮＴＴなどの商用電波を意味する。）による通話ならびに画像の送受信機能を有するもので、ダイヤルボタン６と、通話の実行ならびに終了ボタン７，８と、当該携帯電話が備える各種機能の内容（発信先のダイヤル表示や短縮番号の一覧など）を画像表示手段５に表示するメニューボタン９と、伸縮ロッドタイプのアンテナ１０などを備えており、更に、図２にブロック図で示すように、保持具２へのセット状態で、ＡＣアダプタ１に電気的に接続されるバッテリー１１と、通信回路１２、及び、特定の受信側の電話を呼び出すためのダイヤル設定手段１３を内蔵している。
【００２８】
一方、保持具２は、机上タイプ（フックなどに引っ掛ける壁掛けタイプにしてもよい。）のものであって、この保持具２の前面部まわりに放射される赤外線を検知するための赤外線検知手段１４と、この赤外線検知手段１４からの所定の出力信号を基にして異常を判定する異常判定手段１５、及び、異常の判定結果に基づいてダイヤル設定手段１３に操作信号を入力し、このダイヤル設定手段１３によって予め設定した少なくとも一つの電話を自動的に呼び出す自動ダイヤル命令発信部１６を備えている。
【００２９】
そして、ダイヤル設定手段１３にダイヤル指令を入力するための携帯電話３側の自動ダイヤル命令受信部１７と、保持具２側の自動ダイヤル命令発信部１６とは、保持具２への携帯電話３のセット状態で電気的に接続されるように構成されており、即ち、例えば図３に示すように、板バネによる出力端子ａとこれに接触する入力端子ｂとによるバッテリー接続回路１８と同様の回路１９によって接続されている。
【００３０】
尚、命令受発信部１７，１６の接続形態は、上記の回路構成に限られるものでなく、図４に示すように、リード線ｃとプラグｄとによる接続回路１９や、図５に示すように、雌雄のソケットｅによる接続回路１９を選択可能であり、この他にも図６に示すように、受発光素子ｆ，ｈによるパルス光の通信回路１９の形態を選択することができ、これらを組み合わせても実施可能である。
【００３１】
上記の赤外線検知手段１４は、図７にブロック図で示すように、焦電型またはサーモパイルの検出器による２個の赤外線センサ２０Ａ，２０Ｂを備えており、具体的には、人体から放射される１０μｍ付近の赤外線を感知するように、１０μｍ帯の透過フィルタ２１を具備した人体感知用のセンサ２０Ａと、炎から放射される４．３μｍ付近の赤外線を感知するように、４．３μｍ帯の透過フィルタ２２を具備した炎感知用のセンサ２０Ｂとを備えており、かつ、センサ２０Ａの前面部には集光レンズ２３が配置され、センサ２０Ｂの前面部には赤外線透過カバー２４が配置されている。
【００３２】
そして、各センサ２０Ａ，２０Ｂに、それぞれ増幅回路２５と比較回路２６と判定部２７を接続して、人体と火災の一方または両方の感知による所定の出力信号を基にして、異常判定手段１５から自動ダイヤル命令発信部１６にダイヤル指令を出力するように構成されている。
一方、受信側の携帯電話も、上記構成の通信装置を備えている。
【００３３】
上記構成の通信装置によれば、赤外線検知手段１４による赤外線の検知領域に人が侵入すると、その人体から放射される赤外線が一方の赤外線センサ２０Ａによってキャッチされる。そして、赤外線の検知領域に人が侵入したことが、異常判定手段１５によって異常と判定されて、この判定結果が自動ダイヤル命令発信部１６から接続回路１９を通して自動ダイヤル命令受信部１７に入力されることで、ダイヤル設定手段１３は、予め設定した少なくとも一つの受信側の携帯電話を自動的に呼び出すことになる。
【００３４】
一方、赤外線検知手段１４による赤外線の検知領域で火災が発生すると、その炎から放射される赤外線が他方の赤外線センサ２０Ｂによってキャッチされ、異常判定手段１５が、火災発生の判定結果を自動ダイヤル命令発信部１６から自動ダイヤル命令受信部１７に入力することで、ダイヤル設定手段１３は、今度も予め設定した少なくとも一つの受信側の携帯電話を自動的に呼び出すことになる。この際、人の侵入と火災の発生の何れかによって、特定の呼び出し相手を個別に選択して呼び出すようにしてもよい。
【００３５】
従って、上記構成の通信装置の複数台を、これらの通信装置が備える携帯電話３を発信側の携帯電話として、例えば倉庫内などの所定の場所に分散させて配置すると共に、これとは別に、受信側の携帯電話のダイヤルを、発信側の携帯電話のダイヤル設定手段１３に入力させておけば、倉庫内に侵入した不審な人物が、赤外線検知手段１４の赤外線検知領域に入った場合、この不審な人物の侵入が赤外線検知手段１４によってキャッチされることになり、倉庫内で火災が発生した場合も、その炎が赤外線検知手段１４によってキャッチされることになる。
【００３６】
これによって、赤外線検知手段１４から所定の出力信号が、自動ダイヤル命令発信部１６を通してダイヤル設定手段１３に入力されることで、このダイヤル設定手段１３は予め設定した受信側の携帯電話を自動的に呼び出すのであって、この呼び出しに基づいて受信側の携帯電話を通信状態に切り換えると、この電話の画像表示手段には、発信側の携帯電話３まわりの画像（即ち、侵入者や火災の画像）が表示されるのである。
【００３７】
図８は前記赤外線検知手段１４の変形例を示す図である。図８において赤外線検知手段１４の一部をなす各センサ２０Ａ，２０Ｂは、保持具２に対して通信線（または無線）によって接続される容器２’に設けられている。本例のように構成することにより、センサ２０Ａ，２０Ｂと保持具２を位置的に離れた場所に配置可能であり、より確実かつ目立たない位置にセンサ２０Ａ，２０Ｂを配置できる。
【００３８】
なお、前記携帯電話３または保持具２または保持具２に接続される容器２’に赤外線センサ２０Ａによる赤外線の検出エネルギー量が変化した時点での画像情報を別途保存する画像バッファを設けることにより、赤外線検知手段１４からの出力信号を受けてから受信側の携帯電話と通信可能となるまでの時間のロスによって、初期の状況を確認できなくなる事態を避けることができる。
【００３９】
更に、受信側の携帯電話により、受信者が何処に居ようと、上記事態の発生を遠隔で瞬時に視覚及び聴覚によって、更には、自動ダイヤルによる呼び出しが人体検知によるものか火災の検知によるものかを確認できるのであって、この情報に基づいて受信側の携帯電話により、警察や消防、その他、近隣の知人など、然るべき相手先を選定して救援を求めることで、防犯や防災の態勢を早期にとることができるのであり、この際、赤外線センサ２０Ａ，２０Ｂの誤作動やペットなどの小動物による誤報であっても、画像で現場を確認できることから、誤報による現地への急行などの徒労も回避される。
【００４０】
上記構成の通信装置を、例えば病床人まわりや乳幼児の寝床まわり、その他、玄関などの出入口などに配置しておけば、病床人や乳幼児の動きや出入口を通過する人が赤外線検知手段１４によってキャッチされて、受信側の電話が自動的に呼び出されることで、例えば老人の徘徊や異常行動、その他、病床人の容態急変や乳幼児の起床などを、遠隔で瞬時に視覚確認することができる。
【００４１】
しかも、上記構成の通信装置では、これが備える携帯電話３と受信側の携帯電話とにおいて、画像と音声とによって相互に交信できるとともに、発信側と受信側の双方が上記構成の通信装置を備えているので、好適には適宜複数を用意することで、部屋数や家屋数などに応じて例えば警戒範囲を拡大したり、家族や親戚、友人、知人、近隣同士などのネットワークで、防犯・防災などの互いの協力や警戒体制の一層の強化を期することが可能となる。
【００４２】
この他、上記構成の通信装置を、オートバイ回りや自動車の車内などに配置しておけば、いわゆる車上狙いや窃盗の犯人像の視覚検知や通報を、受信側の電話によって実施でき、また別途、画像記録装置を受信側の電話に接続して、発信側の携帯電話からの撮像情報を記録すれば、その記録画像を犯人特定の手掛かりや証拠にすることができ、更には、農業の分野において、例えばビニールハウス内の所定の場所に上記構成の通信装置を配置しておけば、野生動物によるビニールハウス荒らしを、その動物の種類が何であるかを視覚的に検知することもできる。
【００４３】
【００４４】
また、発信側の通信装置を防犯や防災などの警戒の状態にセットするに際して、その取扱い者自身を赤外線検知手段１４が検知して、侵入者と見做して誤って特定の受信側の電話を呼び出すことが懸念されるが、これを防止する手段として、警戒状態のセット後、数秒間のタイマー（不感時間）を設定するよう構成されている。
【００４５】
或いは、防犯や防災などの警戒モード以外で、携帯電話３のバッテリー１１に充電する際に、赤外線検知手段１４が人を検知することによっても、特定の電話を呼び出すことになるが、これを防止する手段として、例えば赤外線検知系に、警戒モードと充電モードとの切り換えスイッチを設ける一方、充電モードから警戒モードへの切り換え後、上記したように数秒間のタイマー（不感時間）を設定して、充電モードでは、赤外線センサ２０Ａによる人体検知を行わせないようにすればよい。
【００４６】
別の実施の形態による通信装置を図９に基づいて説明する。この実施の形態では、通信装置を壁掛けタイプに構成した点に特徴を有する。即ち、保持具２の上部側に水平のブラケット部材２８を連設して、このブラケット部材２８にフック挿通孔ｉを形成する一方、アングル部材２９の水平部分２９ａにフック３０を連設して、このアングル部材２９を壁面部に取付け、かつ、これのフック３０にブラケット部材２８を引っ掛けるようにしており、保持具２ひいては携帯電話３が備える撮像手段４の撮像範囲をフック３０まわりで変更できるように構成しているのである。
【００４７】
更に別の実施の形態による通信装置を図１０に基づいて説明する。この実施の形態では、携帯電話３の撮像手段４を前後方向に首振り可能に構成する一方、保持具２を次のように机上タイプに構成した点に特徴を有する。
【００４８】
即ち、保持具２を、板状部材３１と、これの一端側に横軸まわりのヒンジ構造３２を介して連結された保持具本体３２とから構成し、かつ、板状部材３１に、枝別れ状の係止溝ｊを形成したリンク３３を枢着する一方、係止溝ｊに選択的に係止可能なピンｍを保持具本体３２に設けて、ピンｍに対する係止溝ｊの係止箇所の変更によって、撮像手段４の撮像範囲を横軸線まわりで変更できるように構成しているのである。
【００４９】
図１１は撮像手段の別の例を示す図である。本例に示す撮像手段４’は、近赤外線の波長を含む画像を撮像するカメラであり、このカメラ４’は一例として近赤外線（例えば波長０．７μｍ〜１．５μｍ）を含む波長の画像を撮像するものである。４ａは近赤外線の光源の一例としての発光ダイオードであり、４ｂは発光ダイオード４ａおよびカメラ４’を携帯電話３内に収める透過窓である。
【００５０】
本例ではカメラ４’が撮像に用いる光の波長を上述の近赤外線を含む様にして撮像しているので、カメラ４’によって撮像した画像を、暗い環境下においても肉眼で見る可視映像に近いものとすることができて、監視対象となる人物を判別するのに適している。また、光源４ａから放たれる近赤外光は肉眼では直接見ることができないので目立つことがなく、監視対象となる人物は光源４ａからの光によってカメラ４’の存在を意識することがなくなり、防犯を考慮に入れると有利である。
【００５１】
加えて、本例のように透過窓４ｂを設けることにより、カメラ４’をより目立たなくすることが可能となる。なお、本発明はカメラ４’が撮像に用いる光の波長を可視領域から近赤外線に限定するものではない。つまり、中赤外線（波長１．５〜５μｍ）や遠赤外線（波長５μｍ〜１００μｍ）を用いて撮像するものであってもよい。また、本発明は赤外線の強度分布を赤外線画像として撮像することを限定するものではなく、赤外線の波長分布を赤外線画像として撮像するものであってもよい。
【００５２】
撮像に用いる光の波長が中赤外線や遠赤外線である場合には、発光ダイオード４ａのような光源を省略して、人体から放射する赤外線をそのまま撮像画像とすることが可能である。すなわち、監視対象となる人物は光源４ａによって赤外線カメラ４’を探し出すことができなくなる。
【００５３】
図１２は図１１に示した本発明の通信装置のさらに異なる例を示す図である。本例においては画像送信機能を備えた携帯電話の保持具２と別体に監視カメラ３４を設けており、この監視カメラ３４は前記撮像手段４’とその光源４ａ、および赤外線センサ２０Ａ，２０Ｂを有している。監視カメラ３４は例えば通信ケーブルＣを介して保持具２と通信可能であり、監視したい場所でかつ目立たない位置に配置される。一方、前記保持具２および携帯電話３は電波状況がよく監視対象の位置からは見えない別の位置に配置される。
【００５４】
上記構成により、監視対象となる人物が本発明の通信装置を見つけ出すことは一層困難になり、防犯装置としての性能を向上することができる。なお、本例においても監視カメラ３４に搭載される撮像手段４’は可視領域から近赤外線だけでなく、遠赤外線や中赤外線を用いて撮像するものであってもよい。これらの赤外線を用いる場合には光源４ａを設ける必要がなくなることも既に詳述した通りである。
【００５５】
さらに、本例では監視カメラ３４と撮像手段を通信ケーブルＣによって接続した例を示しているが、本発明はこれに限られるものではなく、コードレスで電磁波や光通信などによって接続されるものであってもよい。加えて、本例では監視カメラ３４に赤外線センサ２０Ａ，２０Ｂを設けているので、監視対象となる人物が監視カメラ３４の近くに来たときに撮像を開始したり、静止像を図外の画像バッファに保存することが可能であるが、本発明は赤外線センサ２０Ａ，２０Ｂの取付け位置を監視カメラ３４内に限定するものではない。
【００５６】
【００５７】
尚、上記の各実施の形態による通信装置において、自動のダイヤル指令を発する自動ダイヤル命令発信部１６を保持具２に備えさせているが、自動ダイヤル命令発信部１６を携帯電話３側に具備させて実施可能であり、また、図１〜９，１１，１２に示した通信装置において、この携帯電話３を、図１０に示した首振りタイプの携帯電話３に置き換えて実施可能であることは言うまでもない。
【００５８】
また、充電用の保持具２を利用して、通信装置を構成しているが、例えば携帯電話３を机上に立てかけるためのホルダーを利用してもよく、或いは、専用の保持具２を別途用意してもよいのである。
【００５９】
【発明の効果】
以上説明したように本発明は、商用の電波による通話ならびに画像送信機能を備えた携帯電話を用いて、異常事態の発生を監視できるように通信装置を構成したのであって、これによって、所謂セキュリティシステムを、大掛かりな配線工事を一切不要にして安価に構成することができる。
【００６０】
しかも、携帯電話を用いることから、監視場所の変更を極めて容易に行うことができる上に、音声と画像とによる相互の交信も可能であって、携帯電話の通常使用の面でも好適であり、全体として、本発明によれば、警備会社や介護人などに頼ることなく個人や少人数単位で、侵入者や火災から財産を遠隔監視したり、遠隔的に人の安全を確認したりすることを、リアルタイムで正確かつ安価に達成することができる。
【００６１】
また、前記画像が赤外線画像である場合には、撮像のために目立つ光源を設ける必要がなく、防犯装置として機能する通信装置の設置場所を目立たなくすることが可能である。
【図面の簡単な説明】
【図１】  本発明に係る通信システムで用いた通信装置の斜視図である。
【図２】  携帯電話に内蔵の各種機能部のブロック図である。
【図３】  携帯電話と保持具との接続回路の構成図である。
【図４】  別の実施の形態による接続回路の構成図である。
【図５】  更に別の実施の形態による接続回路の構成図である。
【図６】  パルス光による別の実施の形態の接続回路の構成図である。
【図７】  赤外線検知手段のブロック図である。
【図８】  前記赤外線検知手段の別の例を示す図である。
【図９】  別の実施の形態による通信装置の斜視図である。
【図１０】  更に別の実施の形態による通信装置の斜視図である。
【図１１】  本発明に係る通信システムで用いた別の実施の形態による通信装置の斜視図である。
【図１２】  さらに別の実施の形態による通信装置の斜視図である。
【符号の説明】
２…充電用保持具、２’…容器、３…携帯電話、４，４’…撮像手段、５…画像表示手段、１４…赤外線検知手段、１６…自動ダイヤル命令発信部、２０Ａ，２０Ｂ…赤外線センサ。
【図１】
0004022342.tif 000002
【図２】
0004022342.tif 000003
【図３】
0004022342.tif 000004
【図４】
0004022342.tif 000005
【図５】
0004022342.tif 000006
【図６】
0004022342.tif 000007
【図７】
0004022342.tif 000008
【図８】
0004022342.tif 000009
【図９】
0004022342.tif 000010
【図１０】
0004022342.tif 000011
【図１１】
0004022342.tif 000012
【図１２】
0004022342.tif 000013